(57)【特許請求の範囲】
【請求項１】
少なくとも４本の支柱と、これらの支柱により形成される平面方形の外辺をなすように各支柱間に装架され、シザー形態に伸縮するトラスフレームと、これらのトラスフレームによって構成される骨組状の屋根構造体に冠装される天幕を備えた折り畳み自在に構成されたテントにおいて、前記平面方形の中央部において前記トラスフレーム間に架け渡されて、天幕の中央部を支持するビームフレームを備え、該ビームフレームは、略中央部で２分割され、それぞれのビームフレームの一端は前記トラスフレームに回動自在に連結され、他端は互いに分離自在に接続され、トラスフレームの展開後に、天幕の中央部を支持して下方への垂れ下がりを防止する梁を構成するようにしたことを特徴とするテント。
【請求項２】
前部に比較的背の高い支柱を、後部に比較的背の低い支柱をそれぞれ立設配置し、天幕を冠装した際に、前方から後方にかけて傾斜した屋根が得られるように構成されることを特徴とする請求項１記載のテント。
【請求項３】
トラスフレームが、２本の棒状のフレームを回動自在に軸支しシザー形態に回動するＸ字形フレームを少なくとも２つ、伸縮方向に連結してなり、ビームフレームの一端を該２つのＸ字形フレームの逆Ｖ字状連結部に連結したことを特徴とする請求項１又は２記載のテント。
【請求項４】
トラスフレームの逆Ｖ字状連結部を止着する軸ピンにコ字状のブラケットを回動自在に固着し、該ブラケットにビームフレームの一端を回動自在に連結したことを特徴とする請求項３記載のテント。
【発明の詳細な説明】
【技術分野】
【０００１】
本発明は、屋根が複数本の支柱によって支持される形態の折畳式テントに関するものであり、より詳細には、屋根が前方から後方にかけて傾斜した所謂片流式テントに関する。
【背景技術】
【０００２】
前部に比較的背の高い支柱を、後部に比較的背の低い支柱をそれぞれ立設し、それらの支柱を、シザー形態に回動して伸縮するトラスフレームで連結してテントの骨組を構成し、該骨組に天幕を冠装して前方から後方にかけて傾斜した屋根を得る折り畳み自在に構成された片流式のテントは公知である。そのような構成の片流式テントは、例えば、特許文献１や特許文献２に開示されている。
【０００３】
特許文献１及び特許文献２に開示のテントは、トラスフレームの形状に合わせて天幕の側辺を波状に切断し、上面シートをこれに合わせて縫製することにより、天幕の上面にＶ字状の溝を形成し、該溝の稜線を帯材やロープ等の可撓性の補強材で補強して、天幕の弛みを防止し、中央部が雨水で垂れ下がるのを防止している。しかしながら、かかる構造は、天幕の構造が複雑であり、コスト高になると共に、剛体による支持ではないため、弛みの発生を回避することは出来ず、長年の使用により中央部が弛み、雨水等が溜る要因となっていた。
【特許文献１】実用新案登録第３１０２４０８号公報
【特許文献２】実用新案登録第３１０４４８９号公報
【発明の開示】
【発明が解決しようとする課題】
【０００４】
本発明は、上記の如くの問題点に鑑みてなされたものであり、単純な構造にして軽量化を図りつつ、天幕の中央部を恒久的な手段で支持し、長年の使用によっても中央部の弛みの発生を防止して、天幕の雨水溜りを解消し得ると共に、設営や撤去の作業負担を少なくすることが出来る展張、折り畳み自在なテントを提供せんとするものである。
【課題を解決するための手段】
【０００５】
上記課題を解決するためにこの発明が採った手段は、少なくとも４本の支柱と、これらの支柱により形成される平面方形の外辺をなすように各支柱間に装架され、シザー形態に伸縮するトラスフレームと、これらのトラスフレームによって構成される骨組状の屋根構造体に冠装される天幕を備えた折り畳み自在に構成されたテントにおいて、前記平面方形の中央部において前記トラスフレーム間に架け渡されて、天幕の中央部を支持するビームフレームを備え、該ビームフレームは、略中央部で２分割され、それぞれのビームフレームの一端は前記トラスフレームに回動自在に連結され、他端は互いに分離自在に接続され、トラスフレームの展開後に、天幕の中央部を支持して下方への垂れ下がりを防止する梁を構成するようにしたことを特徴とする。
【０００６】
又、前部に比較的背の高い支柱を、後部に比較的背の低い支柱をそれぞれ立設配置し、天幕を冠装した際に、前方から後方にかけて傾斜した屋根が得られるように構成されることを特徴とする。
【０００７】
更に、トラスフレームが、２本の棒状のフレームを回動自在に軸支しシザー形態に回動するＸ字形フレームを少なくとも２つ、伸縮方向に連結してなり、ビームフレームの一端を該２つのＸ字形フレームの逆Ｖ字状連結部に連結したことを特徴とする。
【０００８】
更に、トラスフレームの逆Ｖ字状連結部を止着する軸ピンにコ字状のブラケットを回動自在に固着し、該ブラケットにビームフレームの一端を回動自在に連結したことを特徴とする。
【発明の効果】
【０００９】
本発明は、天幕の下面を剛性を有する棒状のビームフレームで支持してあるので、天幕の中部の弛みを恒久的に回避することが出来、天幕への雨水の溜りを防止することが出来る。又、構造を単純化し、軽量化及び収納時の容積の縮小化を実現することが可能となる。
【発明を実施するための最良の形態】
【００１０】
以下に、本発明の好ましい実施の形態を図面を参照しながら詳細に説明する。図１は、本発明における一実施態様の片流式テント(１)の斜視図である。図２は、ビームフレーム(２)とトラスフレーム(３)の連結部(４)周辺を拡大した斜視図である。図３は、トラスフレームの連結部(４)に対するビームフレーム(２)の取付構造を示す拡大斜視図であり、図４は図３の平面図であり、図５は、ビームフレーム(２)をトラスフレーム(３)の連結部(４)に回動自在に取り付けるためのブラケット(５)の斜視図である。図６は、ビームフレーム(２)を連結する連結手段(６)の断面図である。ビームフレーム(２)は、鋼製若しくは樹脂製のパイプからなる。
【００１１】
図１に示すように、本実施態様の展張、折り畳み自在に構成された片流式テント(１)は、平面長方形の接地面(Ａ)の４つ角部にそれぞれ１本ずつ立設される合計４本の支柱(７)と、各支柱(７)間に架け渡され、全体として長方形の枠状をなすトラスフレーム(３)と、トラスフレーム(３)に回動自在に取り付けられたビームフレーム(２)と、これらのフレームによって組まれる骨組状の天幕支持構造(８)に冠装される天幕(９)（図１に二点鎖線で図示）とから構成されている。尚、テントの設置形態は、平面長方形に限られるものではなく、正方形であっても良いことは勿論である。
【００１２】
支柱(７)は、前部（図１においては、向かって左側奥列の１対の支柱）に背の高い２本の支柱(7a)を、後部（図１においては、向かって右側手前列の１対の支柱）に背の低い２本の支柱(7b)をそれぞれ立設し、片流式テント(１)の展張時において、屋根(10)が前方から後方（図１においては、奥側から手前側）にかけて傾斜するように構成されている。個々の支柱(７)は、パイプ材(70)に、これより小径のパイプ材(71)が摺動自在に内装され、後者が前者に対して摺動して所望の長さで、固定具(72)によって固定出来るように構成され、伸縮自在になっている。
【００１３】
各支柱(７)の頂部には、トラスフレーム(３)の一方の上端(11)が回動自在に枢着されたトップブラケット(12)が固定されている。トップブラケット(12)の下方には、トラスフレーム(３)の一方の下端(13)が回動自在に枢着されたスライドブラケット(14)が、各支柱(７)に対して摺動自在に装着されている。
【００１４】
トラスフレーム(３)は、２本の棒状のフレーム(15)をそれらの中点を互いにピン(16)で軸着して、シザー形態に回動するＸ字形フレーム(17)を、その伸縮方向に２つ又は３つ互いに軸着して連結して構成されている。図１及び図２に示すように、Ｘ字形フレーム(17)を３つ連結してなるトラスフレーム(３)のＸ字形フレーム(17)の上方に位置する逆Ｖ字状の連結部(４)には、該連結部(４)に対して回動自在にビームフレーム(２)の一端を連結するための略コの字形のブラケット(５)が枢着されている（図３乃至図５参照）。
【００１５】
ビームフレーム(２)は、テントの奥行方向の長さに相当するパイプ材をその中点で分断して２分し、それらを長手方向に連結して１本の剛性を有する棒状の部材として天幕の中央部を支持する。ビームフレーム(２)の対向する自由端には、着脱自在に構成された連結手段(６)が装着され（図６参照）、この連結手段(６)を介して１本に連結される。図１のテントは、間隔をおいて配置された２本のビームフレーム(２)を備えている。連結手段(６)は、一方のビームフレーム(２)の自由端が、連結される他方のビームフレーム(２)の自由端の内部に挿入されその連結状態が保持されるように、挿入する側のビームフレーム(2a)の適宜部位に貫穿された貫通孔(18)からスプリング(19)で付勢されたダボ(20)が突出するように構成され、挿入時においてこのダボ(20)が挿入される側のビームフレーム(2b)の自由端の適当な部位に貫穿された貫通孔(21)からスプリング(19)の付勢力で該ダボ(20)が突出して連結状態をロックするようになっている。このロック状態の解除は、ダボ(20)を押し込みながら挿入されていたビームフレーム(2a)を引き抜いて離脱することで達せられる。
【００１６】
それらビームフレーム(２)の自由端と反対側の端部は、それぞれ対向するトラスフレーム(３)の連結部(４)に取り付けられたブラケット(５)に対して軸着され、鉛直面内の回動が自在となるように構成されている。このビームフレーム(２)は、片流式テント(１)の収納時においては、それぞれ１本化されていたビームフレーム(２)を連結手段(６)の部分で分離して２本とし、逆にテント(１)の展張時においては２本に分離されたビームフレーム(２)を連結手段(６)を介して連結して１本化する。
【００１７】
骨組状の天幕支持構造(８)は、Ｘ字形フレーム(17)を２つ連結してなるトラスフレーム(３)を２つ対向配置してなる向かい合う１対の短辺と、Ｘ字形フレーム(17)を３つ連結してなるトラスフレーム(３)を２つ対向配置してなる向かい合う１対の長辺とからなる平面長方形の枠状のトラスフレーム(３)と、長辺をなすトラスフレーム(３)間に、短辺方向に向かって架けられて梁をなす２本のビームフレーム(２)とから構成されている。４本の支柱(７)によって支持されて、展開設置された該天幕支持構造(８)に、シート材からなる天幕(９)が冠装されてテントが構成される。天幕は予め骨組構造に冠装された状態で折り畳まれ、且、展帳される。収納は、ビームフレーム(２)を連結手段(６)で分離して下方に回動して垂らし、各支柱(７)を水平方向に移動させて互いに接近させながらトラスフレーム(３)を収縮させ、更に各支柱(７)を短縮させてコンパクトな収納状態を得る。
【００１８】
図７は、ビームフレームの一変形例を示し、ビームフレーム(２)が、一本の棒状体からなり、その両端部に下向きコ字状の嵌着ブラケット(50)を取り付け、該嵌着ブラケット(50)をトラスフレーム(４)の逆Ｖ字状連結部に嵌着して、トラスフレーム(４)間に架け渡して、天幕(９)の中央部を梁状に支持するようにしたものである。尚、ビームフレーム(２)は、１本の棒体に限られるものではなく、複数の棒体を連結して一本の棒状体に構成するようなものであっても良いことは勿論である。
【００１９】
図８は、ビームフレームの更に他の変形例を示すものである。ビームフレーム(22)はテントの奥行方向の長さに相当し、２本のパイプ材(22a)(22b)をヒンジ部(23)で連結した構造からなる。該ヒンジ部(23)は、２本のパイプ材(22a)(22b)の一端どうしをピンで連結した構造からなり、該ピンを軸にビームフレーム(22)を屈曲自在にしている。両パイプ材(22a)(22b)のヒンジ部近傍にはストッパー(24)が突出形成されており、且、一方のパイプ材(22a)には、前述の図６Ａ、Ｂに示されるようなダボ構造を有するロックボタン(25)が形成されている。又、ストッパー(25)(25)間には、ヒンジ部(23)を被覆し得る長さを有し、端部近傍にロック孔(26a)を形成したスライド部材(26)が挿着されている。
【００２０】
次にビームフレーム(22)の使用状態について説明する。図９に示すように、ビームフレーム(22)は、その両端がそれぞれトラスフレーム(３)の連結部(４)に連結されており、屋根構造体の一部として組み込まれている。ビームフレーム(22)は屋根構造体の展開に伴い屈曲が弱まり、完全展開時には一直線状に伸張する（図８Ａ参照）。この状態から、スライド部材(26)をヒンジ部(23)へ移動させ、更にロックボタン(25)を越え、該ボタン(25)がロック孔(26)より突出するまで移動させる（図８Ｂ参照）。これにより、ヒンジ部(23)及びその両側部はスライド部材(23)に覆われた状態となり、ヒンジ部(23)の屈曲が抑止され、一直線状に伸張した状態が維持される。尚、パイプ材(22a)(22b)には各々ストッパー(24)が形成されているため、スライド部材(26)が不必要にビームフレーム(22)をスライドすることは無い。
【００２１】
尚、折り畳み時には前記手順と逆に、まず、ロックボタン(25)を押入してロック孔(26a)より解除する。次いでスライド部材(26)をパイプ材(22b)のストッパー(24)まで移動させ、ヒンジ部(23)を屈曲可能な状態とする。更に、各支柱(７)を水平方向に移動させて互いに接近させながらトラスフレーム(３)を収縮させる。この時、ビームフレーム(22)は下方へ屈曲しつつトラスフレーム内方へと同時に折り畳まれる。最後に各支柱(７)を短縮させてコンパクトな収納状態を得る。尚、ビームフレーム(22)も前述のビームフレーム(２)同様に、両端部に下向きコ字状の嵌着ブラケット(50)を取り付け、該嵌着ブラケット(50)をトラスフレーム(４)の逆Ｖ字状連結部に嵌着して、トラスフレーム(４)間に架け渡して、天幕(９)の中央部を梁状に支持するようにしてもよい。
【００２２】
図示の実施態様においては、高さが異なる２対の支柱(7a)(7b)を採用し、屋根(10)が傾斜する構成を採っているが、屋根(10)は、必ずしも背丈の異なる支柱(７)を用いて傾斜させなければならないというものではなく、水平であっても構わない。勿論、この点に限らず、本発明の構成は、本発明の主旨を逸脱しない範囲で種々に変更することができる。
【図面の簡単な説明】
【００２３】
【図１】本発明の一実施態様の斜視図
【図２】ビームフレームとトラスフレームの連結部周辺を拡大した斜視図
【図３】トラスフレームの連結部に対するビームフレームの取付構造を示す拡大斜視図
【図４】図３の平面図
【図５】ビームフレームをトラスフレームの連結部に回動自在に取り付けるためのブラケットの斜視図
【図６Ａ】ビームフレームの連結状態における断面図
【図６Ｂ】ビームフレームの分離状態を示す断面図
【図７】ビームフレームの一変形例とトラスフレームとの係合を示す図
【図８】ビームフレームの更に他の変形を示す図
【図９】同ビームフレームを備えたテントの折り畳み途中を示す図
【符号の説明】
【００２４】
１  片流式テント
２  ビームフレーム
2a  挿入する側のビームフレーム
2b  挿入される側のビームフレーム
３  トラスフレーム
４  連結部
５  ブラケット
50  嵌着ブラケット
６  連結手段
７  支柱
7a  比較的背の高い支柱
7b  比較的背の低い支柱
８  天幕支持構造
９  天幕
10  屋根
11  トラスフレームの一方の上端
12  トップブラケット
13  トラスフレームの一方の下端
14  スライドブラケット
15  棒状のフレーム
16  ピン
17  Ｘ字形フレーム
18  貫通孔
19  スプリング
20  ダボ
21  貫通孔
22  ビームパイプ
22a、22b  パイプ材
23  ヒンジ部
24  ストッパー
25  ロックボタン
26  スライド部材
26a  ロック孔
70  パイプ材
71  小径のパイプ材
72  固定具
Ａ  長方形の接地面
【図１】
0004358260.tif 000002
【図２】
0004358260.tif 000003
【図３】
0004358260.tif 000004
【図４】
0004358260.tif 000005
【図５】
0004358260.tif 000006
【図６Ａ】
0004358260.tif 000007
【図６Ｂ】
0004358260.tif 000008
【図７】
0004358260.tif 000009
【図８】
0004358260.tif 000010
【図９】
0004358260.tif 000011